(57)【要約】      （修正有）【課題】パチンコ遊戯者の背中の背もたれ部に対するフィット感を良好なものとし、遊戯実行中の心地良さを実現できるパチンコ遊戯者用椅子を提供する。【解決手段】パチンコ遊戯者用椅子１は、床面２上に立設した支脚部１１と、この支脚部１１上に配置した座部２１及び背もたれ部３１と、一端を座部２１により固定支持されて、他端を背もたれ部３１の背面側中央部に臨ませた弾性支持体４２と、背もたれ部３１の内部に組み込んだ身体背中側曲面適合機構部４１とを有し、身体背中側曲面適合機構部４１は、前記背もたれ部３１側において弾性支持体４２の他端部に中央部を連結した水平配置の水平支持片４３と、背もたれ部３１側において水平支持片４３の両端に自在継手を介して横並び配置に背面中央部を取り付けるとともに、前面形状を着座者の背中の曲面形状に対応させ、着座者の背中からの押圧力に応じて変位する一対の芯板４４、４４と、を有する構成とした。【選択図】図２
2011255050.tif 000002
【特許請求の範囲】
【請求項１】
床面上に垂直配置に立設した支脚部と、この支脚部上に配置した一体構成の座部及び背もたれ部と、一端を座部により固定支持され、他端を背もたれ部の背面側中央部に臨ませた椅子自体の前後方向に撓む弾性力を有する弾性支持体と、前記背もたれ部の内部に組み込んだ着座者用の身体背中側曲面適合機構部とを有するパチンコ遊戯者用椅子であって、
前記身体背中側曲面適合機構部は、
前記背もたれ部側において弾性支持体の他端部に中央部を連結した水平配置の水平支持片と、前記背もたれ部側において水平支持片の両端に自在継手を介して横並び配置に背面中央部を取り付けるとともに、前面形状を着座者の背中の曲面形状に対応させ、着座者の背中からの押圧力に応じて自在継手に支持されつつ変位する一対の芯板と、
を有することを特徴とするパチンコ遊戯者用椅子。
【請求項２】
床面上に垂直配置に立設した支脚部と、この支脚部上に配置した一体構成で外周をクッション部で覆った座部及び背もたれ部と、一端を座部により固定支持され、他端を背もたれ部の背面側中央部に臨ませた椅子自体の前後方向に撓む弾性力を有する弾性支持体と、前記背もたれ部の内部に組み込んだ着座者用の身体背中側曲面適合機構部とを有するパチンコ遊戯者用椅子であって、
前記身体背中側曲面適合機構部は、
前記背もたれ部側において水平支持片の両端に自在継手を介して横並び配置に背面中央部を取り付けるとともに、前面形状を前面全体が左右両端に比べ中央が最も窪んだ湾曲形状で、かつ、前面全体が上下両端に比べ中央が最も前方に膨出した前面膨出形状に形成し、着座者の背中からクッション部を経て伝達される押圧力に応じて自在継手に支持されつつ変位する楕円形状、略楕円形状、四角形状、略四角形状のいずれかの形状からなる一対の芯板と、
を有することを特徴とするパチンコ遊戯者用椅子。
【請求項３】
床面上に垂直配置に立設した支脚部と、この支脚部上において回転可能、かつ、椅子自体の前後方向にスライド可能に配置されるとともに、一体構成で外周をクッション部で覆った座部及び背もたれ部と、一端を座部により固定支持され、他端を背もたれ部の背面側中央部に臨ませた椅子自体の前後方向に撓む弾性力を有する弾性支持体と、前記背もたれ部の内部に組み込んだ着座者用の身体背中側曲面適合機構部とを有するパチンコ遊戯者用椅子であって、
前記身体背中側曲面適合機構部は、
前記背もたれ部側において水平支持片の両端に自在継手を介して横並び配置に背面中央部を取り付けるとともに、前面形状を前面全体が左右両端に比べ中央が最も窪んだ湾曲形状で、かつ、前面全体が上下両端に比べ中央が最も前方に膨出した前面膨出形状に形成し、着座者の背中からクッション部を経て伝達される押圧力に応じて自在継手に支持されつつ変位する楕円形状、略楕円形状、四角形状、略四角形状のいずれかの形状からなる一対の芯板と、
を有することを特徴とするパチンコ遊戯者用椅子。
【請求項４】
床面上に垂直配置に立設した支脚部と、この支脚部上に配置した座部と、
この座部に連結されるとともにその後端側から上方に向けて立設した弾性を有する背もたれ部支持体と、
前記背もたれ部支持体により並列分離配置に支持されるとともに着座者用の身体背中側曲面適合機構部を備える一対の背もたれ体を具備する背もたれ部と、
前記座部の側部に設けたひじ掛け体と、
を有するパチンコ遊戯者用椅子であって、
前記身体背中側曲面適合機構部は、一対の背もたれ体の各前面形状を、着座者の背中の曲面形状に対応する形状とするとともに、前記背もたれ部支持体と、一対の背もたれ体との間に個別に一対の自在継手を配置して、一対の背もたれ体を着座者の背中からの押圧力に応じて自在継手により支持しつつ変位する構成としたことを特徴有するパチンコ遊戯者用椅子。
【請求項５】
床面上に垂直配置に立設した支脚部と、この支脚部上において回転可能、かつ、椅子自体の前後方向にスライド可能に配置した座部と、
この座部に連結されるとともにその後端側から上方に向けて立設した弾性を有し、背面上部に紙葉類の収納凹部を設け、前記背面における前記収納凹部の下部から下端部にわたって波状に凹凸部を設けるとともに、前記収納凹部の下部側を広幅に、下端部側を狭幅とした背もたれ部支持体と、
前記背もたれ部支持体により並列分離配置に支持されるとともに着座者用の身体背中側曲面適合機構部を備え、着座者の背中の縦方向略半分のサイズとした一対の背もたれ体を具備する背もたれ部と、
前記座部の側部に設けたひじ掛け体と、
を有するパチンコ遊戯者用椅子であって、
前記身体背中側曲面適合機構部は、
一対の背もたれ体の各前面形状を、前面全体が左右両端に比べ中央が最も窪んだ湾曲形状で、かつ、前面全体が上下両端に比べ中央が最も前方に膨出した前面膨出形状とし、
前記背もたれ部支持体と、一対の背もたれ体との間に個別に一対の自在継手を配置して、一対の背もたれ体を着座者の背中からの押圧力に応じて自在継手により支持しつつ変位する構成としたことを特徴有するパチンコ遊戯者用椅子。
【請求項６】
床面上に垂直配置に立設した支脚部と、この支脚部上において回転可能、かつ、椅子自体の前後方向にスライド可能に配置した座部と、
この座部に連結されるとともにその後端側から上方に向けて立設した弾性を有し、背面上端部に紙葉類の収納凹部を設け、背面形状を略長方形状で全体に波状に凹凸部を設けた背もたれ部支持体と、
前記背もたれ部支持体により並列分離配置に支持されるとともに着座者用の身体背中側曲面適合機構部を備え、着座者の背中の縦方向略半分のサイズとした一対の背もたれ体を具備する背もたれ部と、
前記座部の側部に設けたひじ掛け体と、
を有するパチンコ遊戯者用椅子であって、
前記身体背中側曲面適合機構部は、
一対の背もたれ体の各前面形状を、前面全体が左右両端に比べ中央が最も窪んだ湾曲形状で、かつ、前面全体が上下両端に比べ中央が最も前方に膨出した前面膨出形状とし、
前記背もたれ部支持体と、一対の背もたれ体との間に個別に一対の自在継手を配置して、一対の背もたれ体を着座者の背中からの押圧力に応じて自在継手により支持しつつ変位する構成としたことを特徴有するパチンコ遊戯者用椅子。
【請求項７】
床面上に垂直配置に立設した支脚部と、この支脚部上において回転可能、かつ、椅子自体の前後方向にスライド可能に配置した座部と、
この座部に連結されるとともにその後端側から上方に向けて立設した弾性を有し、背面上部に紙葉類の収納凹部を設けるとともに、背面側から見て前記収納凹部の下部に凹陥部を、凹陥部の下部に狭幅部を、狭幅部の下部から最下端部にわたって広幅部を設けた背もたれ部支持体と、
前記背もたれ部支持体により並列分離配置に支持されるとともに着座者用の身体背中側曲面適合機構部を備え、着座者の背中の縦方向略半分のサイズとした一対の背もたれ体を具備する背もたれ部と、
前記座部の側部に設けたひじ掛け体と、
を有するパチンコ遊戯者用椅子であって、
前記身体背中側曲面適合機構部は、
一対の背もたれ体の各前面形状を、前面全体が左右両端に比べ中央が最も窪んだ湾曲形状で、かつ、前面全体が上下両端に比べ中央が最も前方に膨出した前面膨出形状とし、
前記背もたれ部支持体と、一対の背もたれ体との間に個別に一対の自在継手を配置して、一対の背もたれ体を着座者の背中からの押圧力に応じて自在継手により支持しつつ変位する構成としたことを特徴有するパチンコ遊戯者用椅子。
【請求項８】
床面上に垂直配置に立設した支脚部と、この支脚部上に配置した座部と、
この座部に連結されるとともにその後端側から上方に向けて立設した弾性を有する背もたれ部支持体と、
前記背もたれ部支持体により並列分離配置に支持されるとともに着座者用の身体背中側曲面適合機構部を備える一対の背もたれ体を具備する背もたれ部と、
を有するパチンコ遊戯者用椅子であって、
前記身体背中側曲面適合機構部は、一対の背もたれ体の各前面形状を、着座者の背中の曲面形状に対応する形状とするとともに、
前記背もたれ部支持体に中央部を連結した水平配置の水平支持片と、
前記一対の背もたれ体の背面に各々取り付けた垂直片と、
前記水平支持片の両端部側と、前記両垂直片との間に水平方向に位置調整可能に配置した一対の自在継手と、を具備し、
一対の背もたれ体を着座者の背中からの押圧力に応じて前記自在継手により変位する構成としたことを特徴有するパチンコ遊戯者用椅子。
【発明の詳細な説明】
【技術分野】
【０００１】
本発明は、パチンコ遊戯者用椅子に関し、詳しくは、特に遊戯場においてパチンコ台遊戯機を操作して遊戯に興じる遊戯者用として好適なパチンコ遊戯者用椅子に関するものである。
【背景技術】
【０００２】
従来におけるパチンコ遊戯場に設置されるパチンコ遊戯用椅子の場合、遊戯者（着座者）は長時間にわたってパチンコ遊戯に興じることが多いため、遊戯者自体の背中や背骨に疲労感が蓄積されていく。
【０００３】
このため、この種の椅子の場合には、特に背もたれ部に対する遊戯者の背中のフィット感が良好で心地良さを付与することが要請される。
【０００４】
この種の椅子として、例えば特許文献１には、パチンコ遊戯場に設置されるパチンコ遊戯用椅子であって、支持脚上にクッション付きの座部、クッション付きの背もたれ部を配置し、座部、背もたれ部に帯電防止シートを敷設した構成のパチンコ遊戯用椅子が提案されている。この他、従来からパチンコ遊戯用椅子として各種のものが提案され実用化されている。
【０００５】
しかしながら、特許文献１のパチンコ遊戯用椅子や、従来の各種の椅子を含めて、遊戯者の背中の背もたれ部に対するフィット感を良好なものとし、遊戯実行中の心地良さを実現し得るような背もたれ部を備えた先行技術は見当たらないのが現状である。
【先行技術文献】
【特許文献】
【０００６】
【特許文献１】特開平５−２２０２６９号公報
【発明の概要】
【発明が解決しようとする課題】
【０００７】
本発明が解決しようとする問題点は、遊戯者の背中の背もたれ部に対するフィット感を良好なものとし、遊戯実行中の心地良さを実現し得るような背もたれ部を備えたパチンコ遊戯者用椅子が存在しない点である。
【課題を解決するための手段】
【０００８】
本発明のパチンコ遊戯者用椅子は、床面上に垂直配置に立設した支脚部と、この支脚部上に配置した一体構成の座部及び背もたれ部と、一端を座部により固定支持され、他端を背もたれ部の背面側中央部に臨ませた椅子自体の前後方向に撓む弾性力を有する弾性支持体と、前記背もたれ部の内部に組み込んだ着座者用の身体背中側曲面適合機構部とを有するパチンコ遊戯者用椅子であって、前記身体背中側曲面適合機構部は、前記背もたれ部側において弾性支持体の他端部に中央部を連結した水平配置の水平支持片と、前記背もたれ部側において水平支持片の両端に自在継手を介して横並び配置に背面中央部を取り付けるとともに、前面形状を着座者の背中の曲面形状に対応させ、着座者の背中からの押圧力に応じて自在継手に支持されつつ変位する一対の芯板と、を有することを最も主要な特徴とする。
【発明の効果】
【０００９】
請求項１記載の発明によれば、着座者が座部に腰を掛けて着座し、その背中を背もたれ部に当接させることによって、身体背中側曲面適合機構部における一対の芯板は、着座者の背中から伝達される押圧力を受けて自在継手により支持されつつ、着座者の背中の水平方向の曲面形状に対応するように左右方向に変位し、かつ、着座者の背中の垂直方向の曲面形状に対応するように上下方向に変位する。これにより、一対の芯板の前面側が、着座者の背中の形状に最も適合した配置となって、着座者に対して自己の背中、更には脇の下についてのフィット感を与え、心地良さを付与することができる斬新なパチンコ遊戯者用椅子を実現し提供することができる。
【００１０】
請求項２記載の発明によれば、外周をクッション部で覆った座部及び背もたれ部を採用し、かつ、請求項１記載の発明と同様な身体背中側曲面適合機構部を備える構成の基に、一対の芯板の前面側が、着座者の背中の形状に最も適合した配置となって、請求項１記載の発明の場合と同様、着座者に対して自己の背中、更には脇の下についてのフィット感を与え、心地良さを付与することができる斬新なパチンコ遊戯者用椅子を実現し提供することができる。
【００１１】
請求項３記載の発明によれば、請求項２記載の発明の場合と同様、着座者に対して自己の背中、更には脇の下についてのフィット感を与え、心地良さを付与することができ、更に、座部及び背もたれ部を支脚部上において回転可能、かつ、椅子自体の前後方向にスライド可能に構成しているので、パチンコ等の遊戯用として実用価値の高いパチンコ遊戯者用椅子を実現し提供することができる。
【００１２】
請求項４記載の発明によれば、背もたれ部支持体により並列分離配置に支持されるとともに着座者用の身体背中側曲面適合機構部を備える一対の背もたれ体を具備する背もたれ部を備え、ひじ掛け部も付加した構成の基に、請求項３記載の発明の場合と同様、着座者に対して自己の背中、更には脇の下についてのフィット感を与え、更に、着座者はひじ掛け部にひじを載せることもでき、より心地良さを増大させることができ、パチンコ等の遊戯用として実用価値の高いパチンコ遊戯者用椅子を実現し提供することができる。
【００１３】
請求項５記載の発明によれば、背もたれ部支持体により並列分離配置に支持されるとともに着座者用の身体背中側曲面適合機構部を備え、着座者の背中の縦方向略半分のサイズとした一対の背もたれ体を具備する背もたれ部を備え、一対の背もたれ体の各前面形状を、前面全体が左右両端に比べ中央が最も窪んだ湾曲形状で、かつ、前面全体が上下両端に比べ中央が最も前方に膨出した前面膨出形状とし、ひじ掛け部も付加した構成とし、更に、背面上部に紙葉類の収納凹部を設け、前記背面における前記収納凹部の下部から下端部にわたって波状に凹凸部を設けた背もたれ部支持体を備える構成の基に、着座者に対して自己の背中、更には脇の下についてのフィット感を与え、更に、着座者はひじ掛け部にひじを載せることもでき、より心地良さを増大させることができ、外観体裁が良好で意匠的効果を発揮させることもでき、パチンコ等の遊戯用として実用価値の高いパチンコ遊戯者用椅子を実現し提供することができる。
【００１４】
請求項６記載の発明によれば、背もたれ部支持体により並列分離配置に支持されるとともに着座者用の身体背中側曲面適合機構部を備え、着座者の背中の縦方向略半分のサイズとした一対の背もたれ体を具備する背もたれ部を備え、一対の背もたれ体の各前面形状を、前面全体が左右両端に比べ中央が最も窪んだ湾曲形状で、かつ、前面全体が上下両端に比べ中央が最も前方に膨出した前面膨出形状とし、ひじ掛け部も付加した構成とし、更に、背面上端部に紙葉類の収納凹部を設け、背面形状を略長方形状で全体に波状に凹凸部を設けた背もたれ部支持体を備える構成の基に、着座者に対して自己の背中、更には脇の下についてのフィット感を与え、更に、着座者はひじ掛け部にひじを載せることもでき、より心地良さを増大させることができ、外観体裁が良好で意匠的効果を発揮させることもでき、パチンコ等の遊戯用として実用価値の高いパチンコ遊戯者用椅子を実現し提供することができる。
【００１５】
請求項７記載の発明によれば、背もたれ部支持体により並列分離配置に支持されるとともに着座者用の身体背中側曲面適合機構部を備え、着座者の背中の縦方向略半分のサイズとした一対の背もたれ体を具備する背もたれ部を備え、一対の背もたれ体の各前面形状を、前面全体が左右両端に比べ中央が最も窪んだ湾曲形状で、かつ、前面全体が上下両端に比べ中央が最も前方に膨出した前面膨出形状とし、ひじ掛け部も付加した構成とし、更に、背面側から見て前記収納凹部の下部に凹陥部を、凹陥部の下部に狭幅部を、狭幅部の下部から最下端部にわたって広幅部を設けた背もたれ部支持体を備える構成の基に、着座者に対して自己の背中、更には脇の下についてのフィット感を与え、更に、着座者はひじ掛け部にひじを載せることもでき、より心地良さを増大させることができ、パチンコ等の遊戯用として実用価値の高いパチンコ遊戯者用椅子を実現し提供することができる。
【００１６】
請求項８記載の発明によれば、床面上に垂直配置に立設した支脚部と、この支脚部上に配置した座部と、この座部に連結されるとともにその後端側から上方に向けて立設した弾性を有する背もたれ部支持体と、前記背もたれ部支持体により並列分離配置に支持されるとともに着座者用の身体背中側曲面適合機構部を備える一対の背もたれ体を具備する背もたれ部と、を有し、前記身体背中側曲面適合機構部は、一対の背もたれ体の各前面形状を、着座者の背中の曲面形状に対応する形状とするとともに、前記背もたれ部支持体に中央部を連結した水平配置の水平支持片と、前記一対の背もたれ体の背面に各々取り付けた垂直片と、前記水平支持片の両端部側と、前記両垂直片との間に水平方向に位置調整可能に配置した一対の自在継手と、を具備し、一対の背もたれ体を着座者の背中からの押圧力に応じて前記自在継手により変位する構成の基に、着座者に対して自己の背中、更には脇の下についてのフィット感を与え、心地良さを増大させることができ、パチンコ等の遊戯用として実用価値の高いパチンコ遊戯者用椅子を実現し提供することができる。
【図面の簡単な説明】
【００１７】
【図１】図１は本発明の実施例１に係るパチンコ遊戯者用椅子の正面図である。
【図２】図２は本実施例１に係るパチンコ遊戯者用椅子の側面図である。
【図３】図３は本実施例１に係るパチンコ遊戯者用椅子の一部を想像線で示した部分切欠断面図である。
【図４】図４は本実施例１に係るパチンコ遊戯者用椅子における支脚部の概略構成図である。
【図５】図５は本実施例１に係るパチンコ遊戯者用椅子を構成する身体背中側曲面適合機構部の概略正面図である。
【図６】図６は本実施例１に係るパチンコ遊戯者用椅子を構成する身体背中側曲面適合機構部の概略平面図である。
【図７】図７は本実施例１に係るパチンコ遊戯者用椅子を構成する身体背中側曲面適合機構部の概略側面図である。
【図８】図８は本実施例１に係るパチンコ遊戯者用椅子を構成する身体背中側曲面適合機構部における芯板の概略正面図である。
【図９】図９は本実施例１に係るパチンコ遊戯者用椅子を構成する身体背中側曲面適合機構部における芯板の概略平面図である。
【図１０】図１０は本実施例１に係るパチンコ遊戯者用椅子を構成する身体背中側曲面適合機構部における芯板の概略側面図である。
【図１１】図１１は本実施例１に係るパチンコ遊戯者用椅子を構成する身体背中側曲面適合機構部における芯板の着座者の背中に対する適合状態を示す概略説明図である。
【図１２】図１２は本発明の実施例２に係るパチンコ遊戯者用椅子の正面図である。
【図１３】図１３は本実施例２に係るパチンコ遊戯者用椅子の側面図である。
【図１４】図１４は本実施例２に係るパチンコ遊戯者用椅子の背面図である。
【図１５】図１５は本発明の実施例３に係るパチンコ遊戯者用椅子の側面図である。
【図１６】図１６は本実施例３に係るパチンコ遊戯者用椅子の背面図である。
【図１７】図１７は本発明の実施例４に係るパチンコ遊戯者用椅子の側面図である。
【図１８】図１８は本実施例４に係るパチンコ遊戯者用椅子の背面図である。
【図１９】図１９は本発明の実施例５に係るパチンコ遊戯者用椅子の正面図である。
【図２０】図２０は本実施例５に係るパチンコ遊戯者用椅子の部分背面図である。
【図２１】図２１は本発明の実施例５に係るパチンコ遊戯者用椅子の部分側面図である。
【発明を実施するための形態】
【００１８】
本発明は、遊戯者の背中の背もたれ部に対するフィット感を良好なものとし、遊戯実行中の心地良さを実現し得るような背もたれ部を備えたパチンコ遊戯者用椅子を実現し提供するという目的を、床面上に垂直配置に立設した支脚部と、この支脚部上に配置した一体構成で外周をクッション部で覆った座部及び背もたれ部と、一端を座部により固定支持され、他端を背もたれ部の背面側中央部に臨ませた椅子自体の前後方向に撓む弾性力を有する弾性支持体と、前記背もたれ部の内部に組み込んだ着座者用の身体背中側曲面適合機構部とを有するパチンコ遊戯者用椅子であって、前記身体背中側曲面適合機構部は、前記背もたれ部側において水平支持片の両端に自在継手を介して横並び配置に背面中央部を取り付けるとともに、前面形状を前面全体が左右両端に比べ中央が最も窪んだ湾曲形状で、かつ、前面全体が上下両端に比べ中央が最も前方に膨出した前面膨出形状に形成し、着座者の背中からクッション部を経て伝達される押圧力に応じて自在継手に支持されつつ変位する楕円形状、略楕円形状、四角形状、略四角形状のいずれかの形状からなる一対の芯板と、を有する構成によりにより実現した。
【実施例１】
【００１９】
以下、本発明の実施例１に係るパチンコ遊戯者用椅子１について図１乃至図１１を参照して詳細に説明する。
本実施例１に係るパチンコ遊戯者用椅子１は、例えば図２に示すように遊戯場の床面２上に固定配置され、着座者Ｍ（遊戯者）が着座して例えばパチンコ台４のような遊戯機３を操作しての遊戯に興じる用途に好適に使用される。
【００２０】
本実施例１に係るパチンコ遊戯者用椅子１は、図１乃至図３に示すように、床面２上に垂直配置に立設した支脚部１１と、この支脚部１１上に配置した一体構成の座部２１及び背もたれ部３１とを有している。
【００２１】
前記背もたれ部３１には、詳細は後述するが着座者Ｍの背中側、更には脇の下にフィット感を与え、心地良さを付与する身体背中側曲面適合機構部４１を設けている。
【００２２】
前記支脚部１１は、図１乃至図３に示すように、床面２上に設置しボルト１２により固定する基底板１３と、基底板１３の中央部に配置した支脚受筒部１４と、支脚受筒部１４内に下部を装着して垂直に立設する支脚軸体１５と、支脚軸体１５の外周上部を覆う上部支脚カバー１６と、支脚軸体１５の外周下部、支脚受筒部１４の外周及び前記基底板１３の外周を覆う下部支脚カバー１７と、を具備している。
【００２３】
すなわち、上部支脚カバー１６、下部支脚カバー１７により前記支脚部１１を構成する基底板１３、支脚受筒部１４及び支脚軸体１５の全ての外周を覆いこれらを露出させないように構成している。
【００２４】
前記支脚軸体１５は、図４にも示すように、円筒状の支脚外筒１８の内部にセンター軸１９を内装し、このセンター軸１９を図示しない軸受により垂直軸線の回りに回転可能に支持するとともに、センター軸１９の上端１９ａを前記座部２１の底部に装着し、これにより、前記座部２１及び背もたれ部３１をこの支脚軸体１５を支軸として回転可能に支持するように構成している。
【００２５】
次に、前記座部２１、背もたれ部３１及び前記身体背中側曲面適合機構部４１について、図５乃至図１０をも参照して詳述する。
【００２６】
前記座部２１は、クッション材を例えば布等の被覆材により覆い、その上に着座者Ｍが腰を掛けて着座する座クッション部２２と、この座クッション部２２と前記前記支脚部１１の上端との間に配置した座本体部２３と、座本体部２３の外周を覆う座部下カバー２４とを有している。
【００２７】
前記座本体部２３は、図３に示すように、座クッション部２２の下面に接合する座部受板２５と、前記センター軸１９の上端１９ａが連結される支脚受板２６と、座部受板２５と支脚受板２６との間に配置したスライド支持機構部２７とを具備し、前記座部２１及び背もたれ部３１を、図２に示す矢印ａ、ｂ方向（前後方向）にスライド可能に支持している。なお、前記スライド支持機構部２７は公知の機構を採用したものであり、ここでは詳細説明は省略する。
【００２８】
前記背もたれ部３１は、クッション材を例えば柄付きの布等の被覆材により覆し、その表面に着座者Ｍの背中が当接する背もたれクッション部３２を有している。
また、本実施例１に係るパチンコ遊戯者用椅子１は、側面視逆Ｌ字状に形成され、前記座部受板２５に一端を連結するとともに、座クッション部２２側から背もたれ部３１側に至るように垂直配置され、他端を背もたれ部３１の背面側中央部に臨ませた前後方向に撓む例えば一定幅の弾性板からなる弾性支持体４２を具備している。
【００２９】
次に、前記身体背中側曲面適合機構部４１について、図５乃至図１１をも参照して説明する。
【００３０】
前記身体背中側曲面適合機構部４１は、前記背もたれクッション部３２の内部にわたって組み込まれている。
【００３１】
前記身体背中側曲面適合機構部４１は、例えば図５乃至図７に示すように、前記背もたれ部３１側において弾性支持体４２の他端部に中央部を連結した水平配置の水平支持片４３と、前記背もたれ部３１側において水平支持片４３の両端に例えば自在継手（例えばゴム体、ボールジョイント等）４５を介して横並び配置に背面中央部を取り付けた一対の芯板４４、４４と、を有している。
【００３２】
ここで、前記芯板４４の具体的形状について、図８乃至図１０を参照して説明する。
前記芯板４４は、図８に示すように、例えば正面視楕円形状に形成され、その長軸を垂直配置として前記水平支持片４３に取り付けている。
【００３３】
また、前記芯板４４は、図９に示すように、前面全体が左右両端に比べ中央が最も窪んだ湾曲形状で、かつ、図１０に示すように、前面全体が上下両端に比べ中央が最も前方に膨出した前面膨出形状に形成している。
【００３４】
前記芯板４４の前面の湾曲形状、前面膨出形状は、着座者Ｍの背中の水平方向の曲面形状、着座者Ｍの背中の垂直方向の曲面形状を考慮して設計、製作するものである。
【００３５】
前記芯板４４の形状としては、楕円形状の他、略楕円形状、四角形状、略四角形状のいずれかの形状から選定することができる。また、前記芯板４４は、木板、樹脂板又は金属板のうちいずれかの材質の板材を用いる。
【００３６】
次に、本実施例１に係るパチンコ遊戯者用椅子１の作用、効果について、前記身体背中側曲面適合機構部４１の作用、効果を主にして説明する。
【００３７】
本実施例１に係るパチンコ遊戯者用椅子１において、着座者Ｍが座クッション部２２に腰を掛けて着座し、その背中を前記背もたれクッション部３２に当接させる。
【００３８】
遊戯者の背中を背もたれクッション部３２に当接させると、前記一対の芯板４４、４４は、着座者Ｍの背中から前記背もたれクッション部３２を経て伝達される押圧力を受けて前記各自在継手４５により支持されつつ、着座者Ｍの背中の水平方向の曲面形状に対応するように図６に示す如く左右方向に変位し、かつ、着座者Ｍの背中の垂直方向の曲面形状に対応するように図７に示す如く上下方向に変位する。
【００３９】
これにより、図１１に概略的に示すように、一対の芯板４４、４４の前面側が、着座者Ｍの背中の形状に最も適合した配置となって、着座者Ｍに対して自己の背中、更には脇の下についてのフィット感を与え、心地良さを付与することができる。
【００４０】
着座者Ｍが座クッション部２２上の着座位置をずらし座り直した場合も、上述した場合と同様着座者Ｍに対して自己の背中、更には脇の下についてのフィット感を与え、心地良さを付与することができる。
【００４１】
これらの作用効果は、前記芯板４４として、略楕円形状、四角形状、略四角形状のいずれかの形状から選定した場合においても同様である。
【００４２】
更に、着座者Ｍが例えば背伸びをした場合には、図７に示すように、前記弾性支持体４２が後方に撓み、これに連動して一対の芯板４４、４４がいずれも着座者Ｍの背中の形状に最も適合した配置を維持したまま後方に変位するので、この場合においても、上述した場合と同様着座者Ｍに対して自己の背中、更には脇の下についてのフィット感を与え、心地良さを付与することができる。
【００４３】
更に、体格の異なる別の着座者Ｍが、座クッション部２２に腰を掛けて着座し、その背中を前記背もたれクッション部３２に当接させた場合においても、上述した場合と同様な動作の基に、当該着座者Ｍに対して自己の背中、更には脇の下についてのフィット感を与え、心地良さを付与することができる。
【００４４】
次に、本発明の実施例２に係るパチンコ遊戯者用椅子１Ａについて、図１２乃至図１４を参照して詳細に説明する。なお、上述した実施例１の場合と同一の要素には同一の符号を付して示す。
【００４５】
本実施例２に係るパチンコ遊戯者用椅子１Ａは、床面２上に垂直配置に立設した実施例１の場合と同様な構成からなる支脚部１１と、この支脚部１１上において回転可能、かつ、椅子自体の前後方向にスライド可能に配置した座部２１と、この座部２１に連結されるとともにその後端側から上方に向けて立設した弾性を有する背もたれ部支持体５１と、前記背もたれ部支持体５１により並列分離配置に支持されるとともに着座者Ｍ用の身体背中側曲面適合機構部６１を備え、着座者Ｍの背中の縦方向略半分のサイズとした一対の背もたれ体７２、７２を具備する背もたれ部７１と、前記座部２１の例えば一方の側部に垂直起立配置したひじ掛け支柱８２及びひじ掛け支柱８２の上端に水平配置したひじ載せ体８３とを有するひじ掛け部８１と、を有している。前記背もたれ体７２は、図１２に示すように、四隅の角部を丸くした縦長の略長方形状としている。
【００４６】
前記背もたれ部支持体５１は、図１４に示すように、その背面上部にパチンコ店の業務案内用紙等のような紙葉類を収納する収納凹部５２を設け、また、前記背面における前記収納凹部５２の下部から下端部にわたって前記パチンコ遊戯者用椅子１Ａ自体の背面側から見た外観体裁を良好とし意匠的効果を発揮させるための波状の凹凸部５３を設けるとともに、前記収納凹部５２の下部側を広幅に、下端部側を狭幅に形成した形状を有している。
【００４７】
前記身体背中側曲面適合機構部６１は、一対の背もたれ体７１、７１の各前面形状を、実施例１の場合と同様に前面全体が左右両端に比べ中央が最も窪んだ湾曲形状で、かつ、前面全体が上下両端に比べ中央が最も前方に膨出した前面膨出形状とし、前記背もたれ部支持体５２の前面と、一対の背もたれ体７１、７１の背面との間に、図１２に示すように、個別に実施例１の場合と同様な一対の自在継手４５、４５（図１２において点線で示す）を配置して、実施例１の場合と同様に、一対の背もたれ体７１、７１を着座者Ｍの背中からの押圧力に応じて前記各自在継手４５、４５により支持しつつ個別に変位させる構成としている。
【００４８】
本実施例２に係るパチンコ遊戯者用椅子１Ａにおいて、着座者Ｍが座部２１に腰を掛けて着座し、その背中を背もたれ部７１の一対の背もたれ体７１、７１に当接させることによって、前記身体背中側曲面適合機構部６１を構成する背もたれ体７１、７１は、着座者Ｍの背中から伝達される押圧力を受けて自在継手４５により支持されつつ、着座者Ｍの背中の水平方向の曲面形状に対応するように左右方向に変位し、かつ、着座者Ｍの背中の垂直方向の曲面形状に対応するように上下方向に変位する。
【００４９】
これにより、一対の背もたれ体７１、７１の前面側が、着座者Ｍの背中の形状に最も適合した配置となって、着座者Ｍに対して自己の背中、更には脇の下についてのフィット感を与え、心地良さを付与することができる。
【００５０】
また、本実施例２に係るパチンコ遊戯者用椅子１Ａによれば、前記ひじ掛け部８１を設けたことにより、着座者Ｍは自己の例えば左ひじを載せることができ、着座時の心地よさを与えることができる。
【００５１】
更に、前記背もたれ部支持体５１の収納凹部５２に、例えばパチンコ店の業務案内用紙等のような紙葉類を入れておくことにより、着座者Ｍに対するサービス性が向上するとともに、前記背もたれ部支持体５１の背面側に波状の凹凸部５３を設けたことにより外観体裁を良好とし意匠的効果を発揮させることができる。
【００５２】
なお、前記背もたれ部支持体５１の背面側には、例えば図示しないが商標等を付したシンボル銘板を取り付けるようにすることも可能である。
【００５３】
次に、本発明の実施例３に係るパチンコ遊戯者用椅子１Ｂについて図１５、図１６を参照して詳細に説明する。なお、上述した実施例１、実施例２の場合と同一の要素には同一の符号を付して示す。
【００５４】
本実施例３に係るパチンコ遊戯者用椅子１Ｂは、基本的構成は実施例２のパチンコ遊戯者用椅子１Ａの場合と同様であるが、前記パチンコ遊戯者用椅子１Ｂを構成する背もたれ部支持体５１の背面構造として、背面上端部に紙葉類の収納凹部  ５２を設け、背面形状を図１５に示すように略長方形状で全体に波状に凹凸部５３を設けたことが特徴であり、残余の構成は実施例２のパチンコ遊戯者用椅子１Ａと同様である。
【００５５】
本実施例３に係るパチンコ遊戯者用椅子１Ｂにおいても、実施例２の場合と同様、一対の背もたれ体７１、７１の前面側が、着座者Ｍの背中の形状に最も適合した配置となって、着座者Ｍに対して自己の背中、更には脇の下についてのフィット感を与え、心地良さを付与することができる。
【００５６】
また、本実施例３に係るパチンコ遊戯者用椅子１Ｂにおいても、前記ひじ掛け部８１を設けたことにより、着座者Ｍは自己の例えば左ひじを載せることができ、着座時の心地よさを与えることができる。
【００５７】
更に、前記背もたれ部支持体５１の収納凹部５２に、例えばパチンコ店の業務案内用紙等のような紙葉類を入れておくことにより、着座者Ｍに対するサービス性が向上するとともに、前記背もたれ部支持体５１の背面側に波状の凹凸部５３を設けたことにより外観体裁を良好とし意匠的効果を発揮させることができること、及び、前記背もたれ部支持体５１の背面側には、例えば商標等を付したシンボル銘板を取り付けるようにすることも可能であることも実施例２の場合と同様である。
【００５８】
次に、本発明の実施例４に係るパチンコ遊戯者用椅子１Ｃについて、図１７、図１８を参照して詳細に説明する。なお、上述した実施例１乃至実施例３の場合と同一の要素には同一の符号を付して示す。
【００５９】
本実施例４に係るパチンコ遊戯者用椅子１Ｃは、基本的構成は実施例２のパチンコ遊戯者用椅子１Ａの場合と同様であるが、前記パチンコ遊戯者用椅子１Ｂを構成する背もたれ部支持体５１の構造として、背面上部に紙葉類の収納凹部５２を設けるとともに、背面側から見て前記収納凹部５２の下部に凹陥部５４を、この凹陥部５４の下部に狭幅部５５を、狭幅部５５の下部から最下端部にわたって広幅部５６を設けたことが特徴であり、残余の構成は実施例２のパチンコ遊戯者用椅子１Ｂと同様である。
【００６０】
本実施例４に係るパチンコ遊戯者用椅子１Ｃにおいても、実施例３の場合と同様、一対の背もたれ体７１、７１の前面側が、着座者Ｍの背中の形状に最も適合した配置となって、着座者Ｍに対して自己の背中、更には脇の下についてのフィット感を与え、心地良さを付与することができる。
【００６１】
また、本実施例４に係るパチンコ遊戯者用椅子１Ｃにおいても、前記ひじ掛け部８１を設けたことにより、着座者Ｍは自己の例えば左ひじを載せることができ、着座時の心地よさを与えることができる。
【００６２】
更に、前記背もたれ部支持体５１の前記収納凹部５２に例えばパチンコ店の業務案内用紙等のような紙葉類を入れておくことにより、着座者Ｍに対するサービス性が向上すること、及び、前記凹陥部５４の一部に例えば商標等を付したシンボル銘板を取り付けるようにすることも可能であることも実施例２の場合と同様である。
【００６３】
次に、本発明の実施例５に係るパチンコ遊戯者用椅子１Ｄについて、図１９乃至図２１を参照して詳細に説明する。なお、上述した実施例１乃至実施例４の場合と同一の要素には同一の符号を付して示す。
【００６４】
前記パチンコ遊戯者用椅子１Ｄは、図１９乃至図２１に示すように、実施例１乃至実施例４の場合と同様、床面２上に垂直配置に立設した支脚部１１と、この支脚部１１上に配置した座部２１と、この座部２１に連結されるとともにその後端側から上方に向けて立設した弾性を有する背もたれ部支持体９１と、前記背もたれ部支持体９１により並列分離配置に支持されるとともに着座者用の身体背中側曲面適合機構部１１１を備える一対の背もたれ体１０２、１０２を具備する背もたれ部１０１と、を有している。
【００６５】
前記身体背中側曲面適合機構部１１１は、一対の背もたれ体１０２、１０２の各前面形状を、前面全体が左右両端に比べ中央が最も窪んだ湾曲形状で、かつ、前面全体が上下両端に比べ中央が最も前方に膨出した前面膨出形状に形成して、既述した場合と同様な着座者Ｍの背中の曲面形状に対応する形状とするとともに、前記背もたれ部支持体９１に取り付けねじ体９２を用いて中央部を連結した水平配置の水平支持片１１２と、前記一対の背もたれ体１０２、１０２の背面に各々ボルト１１４を用いて取り付けた一対の垂直片１１３、１１３と、前記水平支持片１１２の両端部側と前記両垂直片１１３、１１３との間に、各々水平方向に位置調整可能に配置した一対の自在継手１１５、１１５と、を具備している。
【００６６】
すなわち、前記水平支持片１１２の両端部側には水平方向に一対の長孔１１２ａが設けられるとともに、前記一対の自在継手１１５、１１５は、一対の背もたれ体１０２、１０２側の端面を前記一対の垂直片１１３、１１３に連結している。
【００６７】
また、前記一対の自在継手１１５、１１５の水平支持片１１２側の端面に取り付けられて、長孔１１２ａの部分に挿通配置した位置決めねじ１１６によるねじ止め操作によって、前記一対の自在継手１１５、１１５の水平方向の位置調整、したがって、前記一対の背もたれ体１０２、１０２の水平方向の間隔調整を可能に構成している。
【００６８】
本実施例５に係るパチンコ遊戯者用椅子１Ｄにおいても、既述した各実施例の場合と同様、一対の背もたれ体１０２、１０２の前面側が、着座者Ｍの背中の形状に最も適合した配置となって、着座者Ｍに対して自己の背中、更には脇の下についてのフィット感を与え、心地良さを付与することができる。
【００６９】
また、本実施例５に係るパチンコ遊戯者用椅子１Ｄによれば、前記一対の背もたれ体１０２、１０２の水平方向の間隔調整を可能に構成しているので、体格の大きい、すなわち、背中の横幅が大きい着座者Ｍが使用する場合においても、一対の背もたれ体１０２、１０２の水平方向の間隔調整により容易に対応でき、当該着座者Ｍに対して自己の背中、更には脇の下についてのフィット感を与え、心地良さを付与することができる。
【産業上の利用可能性】
【００７０】
本発明のパチンコ遊戯者用椅子は、パチンコ遊戯場の他、スロットルマシン遊戯場、その他各種ゲーム機の遊戯場等の遊戯者用椅子としても適用可能である。
【符号の説明】
【００７１】
１    パチンコ遊戯者用椅子
１Ａ  パチンコ遊戯者用椅子
１Ｂ  パチンコ遊戯者用椅子
１Ｃ  パチンコ遊戯者用椅子
１Ｄ  パチンコ遊戯者用椅子
２    床面
３    遊戯機
４    パチンコ台
１１    支脚部
１２    ボルト
１３    基底板
１４    支脚受筒部
１５    支脚軸体
１６    上部支脚カバー
１７    下部支脚カバー
１８    支脚外筒
１９    センター軸
１９ａ  上端
２１    座部
２２    座クッション部
２３    座本体部
２４    座部下カバー
２５    座部受板
２６    支脚受板
２７    スライド支持機構部
３１    背もたれ部
３２    背もたれクッション部
４１    身体背中側曲面適合機構部
４２    弾性支持体
４３    水平支持片
４４    芯板
４５    自在継手
５１    背もたれ部支持体
５２    収納凹部
５３    凹凸部
５４    凹陥部
５５    狭幅部
５６    広幅部
６１    身体背中側曲面適合機構部
７１    背もたれ部
７２    背もたれ体
８１    ひじ掛け部
８２    ひじ掛け支柱
８３    ひじ載せ体
９１    背もたれ部支持体
９２    取り付けねじ体
１０１    背もたれ部
１０２    背もたれ体
１１１    身体背中側曲面適合機構部
１１２    水平支持片
１１２ａ  長孔
１１３    垂直片
１１４    ボルト
１１５    自在継手
１１６    位置決めねじ
Ｍ    着座者
【図１】
2011255050.tif 000003
【図２】
2011255050.tif 000004
【図３】
2011255050.tif 000005
【図４】
2011255050.tif 000006
【図５】
2011255050.tif 000007
【図６】
2011255050.tif 000008
【図７】
2011255050.tif 000009
【図８】
2011255050.tif 000010
【図９】
2011255050.tif 000011
【図１０】
2011255050.tif 000012
【図１１】
2011255050.tif 000013
【図１２】
2011255050.tif 000014
【図１３】
2011255050.tif 000015
【図１４】
2011255050.tif 000016
【図１５】
2011255050.tif 000017
【図１６】
2011255050.tif 000018
【図１７】
2011255050.tif 000019
【図１８】
2011255050.tif 000020
【図１９】
2011255050.tif 000021
【図２０】
2011255050.tif 000022
【図２１】
2011255050.tif 000023